(57)【要約】【課題】  光を受光して、前記光の計測を行なう光計測器等の光装置に関し、迅速に光ファイバを接続でき、複数種類の光アダプタの保管、管理が不要となる光装置を提供することを課題とする。【解決手段】  装置２１側に設けられた軸２３と、装置２１側であって、軸２３を中心とする円周Ｅ上に設けられたフェルール（受光部）２７と、軸２３に係合し、軸２３を中心として回転可能なプレート３１と、プレート３１上であって、円周Ｅと同じ大きさの軸２３を中心とする円周Ｅ’上に設けられ、フェルール（受光部）２７と光学的に接続可能な複数種類の光アダプタ３５、３７、３９、４１とで構成する。【選択図】          図１
2005202269.tif 000002
【特許請求の範囲】
【請求項１】
装置側に設けられた軸と、
前記装置側であって、前記軸を中心とする円周上に設けられた受光部と、
前記軸に係合し、前記軸を中心として回転可能なプレートと、
該プレート上であって、前記円周と同じ大きさの前記軸を中心とする円周上に設けられ、前記受光部と光学的に接続可能な複数種類の光アダプタと、
を有することを特徴とする光装置。
【請求項２】
前記受光部と前記光アダプタとが光学的に接続された状態で、
前記プレートの前記軸を中心とする回転を禁止する回転方向ロック機構を設けたことを特徴とする請求項１記載の光装置。
【請求項３】
前記受光部は、前記フェルールであり、
前記プレートは、前記軸に沿って移動可能であり、
前記受光部と前記光アダプタとが光学的に接続された状態で、前記プレートの前記軸に沿って前記受光部から離れる方向の移動を禁止する軸方向ロック機構を設けたことを特徴とする請求項１または２記載の光装置。
【発明の詳細な説明】
【技術分野】
【０００１】
本発明は、光を受光して、前記光の計測を行なう光計測器等の光装置に関する。
【背景技術】
【０００２】
たとえば、図５に示すような光パワーメータがある。図において、測定器本体１にはケーブル３を介して光センサ部５が接続されている（たとえば、特許文献１参照）。
【０００３】
光センサ部５には、光アダプタ７が設けられている。この光アダプタ７には、光コネクタ９が先端に設けられた光ファイバ１１が接続され、その光ファイバ１１から被測定光が光センサ部５に入射される。
【特許文献１】実用新案登録第２５６４４５５号公報（第２頁、第１図参照）
【発明の開示】
【発明が解決しようとする課題】
【０００４】
現在、光ファイバに取り付けられるコネクタは、たとえば、ＦＣコネクタ、ＳＣコネクタ、ＭＵコネクタ、ＬＣコネクタ等複数の種類があり、種類が異なると光アダプタに接続はできない。従って、図５において、光センサ部５の光アダプタ７の種類と、光ファイバ１１の光コネクタ９の種類とが異なる場合、光センサ部５側の光アダプタ７を光コネクタ９が光学的に接続可能な光アダプタと交換して接続を行っている。
【０００５】
しかし、このような構成では、光アダプタの交換に手間がかかり、迅速に光ファイバを光装置に接続ができない問題点がある。又、複数種類の光アダプタを保管、管理する手間もかかる。
【０００６】
本発明は、上記問題点に鑑みてなされたもので、その課題は、迅速に光ファイバを接続でき、複数種類の光アダプタの保管、管理が不要となる光装置を提供することにある。
【課題を解決するための手段】
【０００７】
上記課題を解決する請求項１に係る発明は、装置側に設けられた軸と、前記装置側であって、前記軸を中心とする円周上に設けられた受光部と、前記軸に係合し、前記軸を中心として回転可能なプレートと、該プレート上であって、前記円周と同じ大きさの前記軸を中心とする円周上に設けられ、前記受光部と光学的に接続可能な複数種類の光アダプタとを有することを特徴とする光装置である。プレートを回転すると、異なる種類の光アダプタが受光部に光学的に接続される。
【０００８】
請求項２に係る発明は、前記受光部と前記光アダプタとが光学的に接続された状態で、前記プレートの前記軸を中心とする回転を禁止する回転方向ロック機構を設けたことを特徴とする請求項１記載の光装置である。
【０００９】
前記受光部と前記光アダプタとが光学的に接続された状態では、回転方向ロック機構によりプレートの軸を中心とする回転が禁止される。
【００１０】
請求項３に係る発明は、前記受光部は、フェルールであり、前記プレートは、前記軸に沿って移動可能であり、前記受光部と前記光アダプタとが光学的に接続された状態で、前記プレートの前記軸に沿って前記受光部から離れる方向の移動を禁止する軸方向ロック機構を設けたことを特徴とする請求項１または２記載の光装置である。
【００１１】
装置側の受光部であるフェルールと、プレート側の光アダプタとは、プレートを軸に沿って移動させることにより、フェルールと光アダプタとの光学的接続が接続／接続解除される。
【００１２】
又、前記受光部と前記光アダプタとが光学的に接続された状態では、軸方向ロック機構によりプレートの前記軸に沿って前記受光部から離れる方向の移動が禁止される。
【００１３】
なお、本発明で、フェルールとは、光ファイバ同士や光ファイバと受発光素子を正確に接続するために用いる部品で、中心に細い穴が空いたスリーブ状で、前記穴に光ファイバが挿入されることにより光ファイバを保持するものである。
【発明の効果】
【００１４】
請求項１〜請求項３に係る発明によれば、装置側に設けられた軸と、前記装置側であって、前記軸を中心とする円周上に設けられた受光部と、前記軸に係合し、前記軸を中心として回転可能なプレートと、該プレート上であって、前記円周と同じ大きさの前記軸を中心とする円周上に設けられ、前記受光部と光学的に接続可能な複数種類の光アダプタとを有することにより、プレートを回転すれば、異なる種類の光アダプタが受光部に光学的に接続される。よって、迅速に光ファイバを接続できる。又、光アダプタはプレートに設けられるので、複数種類の光アダプタの保管、管理が不要となる。
【００１５】
又、請求項２に係る発明によれば、回転方向ロック機構を設けたことにより、プレートの軸を中心とする回転が禁止され、受光部と光アダプタとの光学的接続が容易に解除されない。
【００１６】
更に、請求項３に係る発明によれば、前記受光部がフェルールの場合、前記プレートは、前記軸に沿って移動可能であるので、プレートを回転して光アダプタの交換時に、プレートを軸に沿って移動させることにより、受光部であるフェルールと光アダプタとを光学的に接続／接続解除できる。
【００１７】
又、前記受光部と前記光アダプタとが光学的に接続された状態で、前記プレートの前記軸に沿って前記受光部から離れる方向の移動を禁止する軸方向ロック機構を設けたことにより、受光部であるフェルールと光アダプタとの光学的接続が容易に解除されない。
【発明を実施するための最良の形態】
【００１８】
以下、図面を用いて本発明を実施するための最良の形態を説明する。
（第１形態例）
第１形態例の要部を説明する分解斜視図である図１、図１の切断線Ａ−Ａでの断面図である図２を用いて説明する。これらの図において、装置２１側には軸２３が設けられている。この軸２３は装置２１に設けられた穴２１ａを挿通し、装置２１の内部に設けられた軸受（ラジアル軸受）２５によって回転可能に支持されている。装置２１側には、軸２３を中心とする円周（図１においてＥで示す）上に受光部としてフェルール２７が設けられている。このフェルール２７は装置２１より若干突出している。
【００１９】
一方、軸２３には、プレート３１が設けられている。このプレート３１は、プレート３１に設けられた軸受（スラスト軸受）３３により、軸２３に沿って移動可能となっている。プレート３１には、複数（本形態例では４つ）種類の光アダプタ３５、３７、３９、４１が設けられている。これらの光アダプタ３５、３７、３９、４１は、円周Ｅと同じ大きさの軸２３を中心とする円周Ｅ’上に略等間隔で設けられている。更に、これらの光アダプタ３５、３７、３９、４１は、プレート３１を軸２３方向に貫通するように設けられ、装置２１側にはフェルール２７に光学的に接続可能なフェルール接続部３５ａ、３７ａ、３９ａ、４１ａ（フェルール接続部３７ａ、４１ａは図示せず）が形成されている。フェルール２７と光アダプタ３５、３７、３９、４１のフェルール接続部３５ａ、３７ａ、３９ａ、４１ａとの接続／接続解除は、プレート３１を軸２３に沿って移動することによって行われる。装置２１と反対側には、異なる種類の光コネクタ（たとえば、ＦＣ形光コネクタ、ＳＣ形光コネクタ、ＭＵ形光コネクタ、ＬＣ形光コネクタ）が光学的に接続可能なコネクタ接続部３５ｂ、３７ｂ、３９ｂ、４１ｂが形成されている。
【００２０】
又、装置２１側のフェルール２７の近傍には、軸２３と平行に伸びる２本の挿入ガイドピン５１、ピン５３が設けられている。本形態例では、軸２３（穴２１ａ）の中心とフェルール２７の中心とを結ぶ線分上にフェルール２７を間に挟むように設けた。
【００２１】
一方、プレート３１側には、各光アダプタ３５、３７、３９、４１のフェルール接続部３５ａ、３７ａ、３９ａ、４１ａがフェルール２７と光学的に接続された際に、装置２１側の２本の挿入ガイドピン５１、ピン５３が挿入される穴が形成されている。本形態例では、軸２３の中心と各光アダプタ３５、３７、３９、４１の中心を結ぶ線分上に各光アダプタ３５、３７、３９、４１を間に挟むように設けた。光アダプタ３５においては、穴５５、穴５７であり、光アダプタ３７においては、穴５９、穴６１であり、光アダプタ３９においては、穴６３、穴６５であり、光アダプタ４１においては、穴６７、穴６９である。これら挿入ガイドピン５１、５３と穴５５、５７との挿入、挿入ガイドピン５１、５３と穴５９、６１との挿入、挿入ガイドピン５１、５３と穴６３、６５との挿入、挿入ガイドピン５１、５３と穴６７、６９との挿入で、プレート３１の軸２３を中心とする回転を禁止する回転方向ロック機構が形成されている。
【００２２】
又、図２に示すように、装置２１側には、軸方向ロック機構としての止め／外しピン７１が複数設けられている。この止め／外しピン７１は、断面形状が略コ字形で、弾性材でなっている。更に、この止め／外しピン７１は、ピン７３を用いて装置２１に対して回転可能に設けられ、図示しないターンオーバスプリング（付勢するものがある角度まで回転すると、逆の方向に付勢し始めるスプリング）により、プレート３１が止め／外しピン７１から離反した状態では、図２に示すような状態となるように矢印Ｂ方向と逆方向に付勢されている。
【００２３】
ここで、挿入ガイドピン５１、５３にプレート３１の光アダプタ３５、３７、３９、４１のうちのいずれかの穴を挿入した状態で、プレート３１を止め／外しピン７１に近づけて、止め／外しピン７１の斜面が形成された可撓部７１ａを押すと、止め／外しピン７１がターンオーバスプリングの付勢力に抗して矢印Ｂ方向に回転する。止め／外しピン７１がある角度まで回転すると、ターンオーバスプリングは逆に矢印Ｂ方向に止め／外しピン７１を付勢し始める。そして、止め／外しピン７１の底部７１ｂが装置２１に当接し、それ以上の回転が禁止される。更に、プレート３１がプレート止め／外しピン７１の可撓部７１ａを押すと、可撓部７１ａが弾性変形し、プレート３１は止め／外しピン７１の可撓部７１ａと底部７１ｂとに挟まれ、光アダプタ３５、３７、３９、４１のうちのいずれかの光アダプタがフェルール２７に光学的に接続される。そして、ターンオーバスプリングにより矢印Ｂ方向に付勢された止め／外しピン７１により、プレート３１の軸２３に沿ってフェルール２７から離れる方向の移動が禁止される。
【００２４】
このプレート３１の軸２３に沿ってフェルール２７から離れる方向の移動が禁止された状態を解除するには、止め／外しピン７１をターンオーバスプリングの付勢力に抗して、矢印Ｂ方向と反対方向に回転させる。またはプレート３１をターンオーバスプリングの付勢力に抗して軸２３に沿ってフェルール２７から離れる方向に移動させてもよい。止め／外しピン７１はピン７３を中心に回転し、ある角度まで回転すると、ターンオーバスプリングは矢印Ｂ方向と逆方向に、止め／外しピン７１を付勢し始め、図２に示す状態に復帰する。そして、止め／外しピン７１の底部７１ｂがプレート３１を押し出し、可撓部７１ａが弾性変形して、プレート３１は止め／外しピン７１から離脱する。
【００２５】
次に、上記構成の作動を説明する。まず、プレート３１装置２１より離し、プレート３１を止め／外しピン７１から離脱した状態にしておく。接続する光ファイバ８３の光コネクタ８１の種類に応じて、プレート３１の光アダプタ３５、３７、３９、４１を選定する。そして、たとえば光アダプタ３５が選定されたならば、光アダプタ３５がフェルール２７上に位置するまでプレート３１を軸２３を中心に回転させる。そして、プレート３１を軸２３に沿って装置２１方向に移動させ、穴５５、穴５７に挿入ガイドピン５１、挿入ガイドピン５３を挿入させる。これにより、回転方向ロック機構が作動し、プレート３１の軸２３を中心とする回転が禁止される。
【００２６】
更に、プレート３１を装置２１方向に押すと、前述したように止め／外しピン７１が矢印Ｂ方向に回転し、軸方向ロック機構が作動し、プレート３１の軸２３に沿ってフェルール２７から離れる方向の移動を禁止されるとともに、光アダプタ３５のフェルール接続部３５ａが装置２１側のフェルール２７と光学的に接続される。最後に、光アダプタ３５のコネクタ接続部３５ｂに光コネクタ８１を光学的に接続する。
【００２７】
このような構成によれば、以下のような効果を得ることができる。
（１）装置２１側に設けられた軸２３と、装置２１側であって、軸２３を中心とする円周Ｅ上に設けられたフェルール２７と、軸２３に係合し、軸を中心として回転可能なプレート３１と、プレート３１上であって、円周Ｅと同じ大きさの軸２３を中心とする円周Ｅ’上に設けられ、フェルール２７と光学的に接続可能な複数種類の光アダプタ３５、３７、３９、４１とを有することにより、プレート３１を回転すれば、異なる種類の光アダプタがフェルール２７に光学的に接続される。よって、迅速に光ファイバ８３を接続できる。又、光アダプタ３５、３７、３９、４１はプレート３１に設けられるので、複数種類の光アダプタの保管、管理が不要となる。
（２）回転方向ロック機構を設けたことにより、プレート３１の軸２３を中心とする回転が禁止され、フェルール２７と光アダプタ３５、３７、３９、４１との光学的接続が容易に解除されない。
（３）プレート３１は、軸２３に沿って移動可能であるので、プレート３１を回転して光アダプ３５、３７、３９、４１の交換時に、プレート３１を軸に沿って移動させることにより、フェルール２７と光アダプタ３５、３７、３９、４１とを光学的に接続／接続解除できる。
（４）フェルール２７と光アダプタ３５、３７、３９、４１とが光学的に接続された状態で、プレート３１の軸２３に沿ってフェルール２７から離れる方向の移動を禁止する軸方向ロック機構を設けたことにより、フェルール２７と光アダプタ３５、３７、３９、４１との光学的接続が容易に解除されない。
（第２形態例）
図３を用いて本発明の第２形態例を説明する。本形態例と第１形態例との相違点は受光部であり、他の部分は同一なので、同一部分には同一符号を付し、重複する説明は省略する。本形態例の受光部は、装置２１に設けられた穴２１ｂと装置２１内に設けられ、穴２１ｂを介して装置２１内に入射した光を集光するレンズ９１とからなっている。このような構成よっても、第１形態例と同様な効果を得ることができる。
【００２８】
なお、本発明は、上記２つの形態例に限定するものではない。たとえば、第１形態例、第２形態例では回転方向ロック機構と、軸方向ロック機構とをそれぞれ設けたが、図４に示すように、プレート３１の周面に、プレート３１に設ける光アダプタの数に応じて円錐状の凹部１０１を設ける。そして装置２１には、板ばね１０３の一方の端部側を取り付ける。板ばね１０３の他方の端部側にプレート３１の凹部１０１に係脱可能な円錐状の突起１０５を設ければ、突起１０５が凹部１０１に係合すると、プレート３１の軸２３を中心とする回転と、プレート３１の軸２３に沿っての移動との両方を禁止することができ、ロック機構の構成が簡単となる。
【００２９】
（付記１）  装置側に設けられた軸と、
前記装置側であって、前記軸を中心とする円周上に設けられた受光部と、
前記軸に係合し、前記軸を中心として回転可能なプレートと、
該プレート上であって、前記軸を中心とする前記円周と同一円周上に設けられ、前記受光部と光学的に接続可能な複数種類の光アダプタと、
を有することを特徴とする光装置。
【００３０】
（付記２）  前記受光部と前記光アダプタとが光学的に接続された状態で、
前記プレートの前記軸を中心とする回転を禁止する回転方向ロック機構を設けたことを特徴とする付記１記載の光装置。
【００３１】
（付記３）  前記受光部は、フェルールであり、
前記プレートは、前記軸に沿って移動可能であり、
前記受光部と前記光アダプタとが光学的に接続された状態で、前記プレートの前記軸に沿って前記受光部から離れる方向の移動を禁止する軸方向ロック機構を設けたことを特徴とする付記１または２記載の光装置。
【００３２】
（付記４）  前記受光部は、レンズであることを特徴とする付記１または２記載の光装置。
【図面の簡単な説明】
【００３３】
【図１】第１形態例の要部を説明する分解斜視図である。
【図２】図１の切断線Ａ−Ａでの断面図である。
【図３】第２形態例を説明する断面図である。
【図４】他の形態例を説明する図である。
【図５】光パワーメータの構成図である。
【符号の説明】
【００３４】
２１  装置
２３  軸
２７  フェルール（受光部）
３１  プレート
３５、３７、３９、４１  光アダプタ
【図１】
2005202269.tif 000003
【図２】
2005202269.tif 000004
【図３】
2005202269.tif 000005
【図４】
2005202269.tif 000006
【図５】
2005202269.tif 000007